(57)【要約】【課題】画像形成条件が変更されていることに気付かずに印刷することで生じるミスコピーを防止することにある。【解決手段】画像形成条件が初期設定と異なることを報知するデジタル複合機１の警告装置９であって、リセット時間判定手段１３と、リセット手段１１と、判別手段１４と、表示パネル１２と、待機手段１６とを有する。リセット時間判定手段１３は、画像形成終了後に所定のリセット時間が経過したかどうかを判定する。リセット手段１１は、リセット時間判定手段１３がリセット時間の経過を判定すると、画像形成条件を初期設定へとリセットする。判別手段１４は、リセット時間判定手段１３がリセット時間を経過していないことを判定した場合に、画像形成条件が初期設定であるかどうかを判別する。表示パネル１２、判別手段１１によって判別した結果が初期設定でない場合に、その旨を警告する。待機手段１６は、警告手段による警告中に画像形成の指示が有った場合に画像形成の指示を実行せずに待機する。【選択図】図１
2007104130.tif 000002
【特許請求の範囲】
【請求項１】
画像形成条件が初期設定と異なることを報知する画像形成装置の警告装置であって、
画像形成終了後に所定のリセット時間が経過したかどうかを判定するリセット時間判定手段と、
前記リセット時間判定手段がリセット時間の経過を判定すると、画像形成条件を初期条件へとリセットするリセット手段と、
前記リセット時間判定手段がリセット時間を経過していないことを判定した場合に、画像形成条件が初期設定であるかどうかを判別する判別手段と、
前記判別手段によって判別した結果が初期設定でない場合に、その旨を警告する警告手段と、
前記警告手段による警告中に画像形成の指示があった場合に、画像形成の指示を実行せずに待機する待機手段とを備えた、
警告装置。
【請求項２】
所定の警告時間を経過したかどうかを判定する警告時間判定手段をさらに備え、
前記警告時間判定手段によって警告時間を経過していないと判定された場合には、前記警告手段による警告を行わない、
請求項１に記載の警告装置。
【請求項３】
前記警告手段は、画像形成条件を表示する表示部を有し、
前記表示部に初期設定と異なる旨を表示することで操作者に警告をする、
請求項１又は２に記載の警告装置。
【請求項４】
前記表示部には、画像形成条件をリセットするリセットキーが表示される、請求項３に記載の警告装置。
【請求項５】
前記待機手段による待機中に、再度画像形成の指示があった場合に画像形成条件を変更せずに画像形成を行う、請求項１から４のいずれかに記載の警告装置。
【発明の詳細な説明】
【技術分野】
【０００１】
本発明は、警告装置、特に、画像形成条件が初期設定と異なることを報知する画像形成装置の警告装置に関する。
【背景技術】
【０００２】
画像形成装置には、タッチパネル式の表示パネルで印刷の倍率などの条件を変えて印刷することができる装置が存在する。このような画像形成装置では、画像形成条件の初期設定がなされており、表示パネルによって初期条件の設定を変更して印刷することができる。このように画像形成条件を変更した場合に、印刷終了後に一定時間経過するまで待機し、この間に印刷指示がなければ画像形成条件を初期設定に戻すように設定されている。ここで、印刷終了後の待機期間に画像形成条件が初期設定と異なった設定であれば、表示パネルにその旨の表示することや所定の場所（例えば画像形成装置のフレーム）に設けられたランプを点灯させることによって操作者に報知する画像形成装置が存在する（特許文献１参照）。
【特許文献１】特開平７−１２３１８９号公報
【発明の開示】
【発明が解決しようとする課題】
【０００３】
特許文献１に記載の画像形成装置では、表示パネルに画像形成条件が初期設定と異なる旨の表示がされていることや所定の場所に設けられたランプが点灯していることに気付かずに、初期設定と思いこんで印刷指示を行うことがある。この場合には、初期設定とは異なる画像形成条件に基づいて印刷がなされるためにミスコピーとなる。
【０００４】
本発明の課題は、画像形成条件が変更されていることに気付かずに印刷することで生じるミスコピーを防止することにある。
【課題を解決するための手段】
【０００５】
請求項１に係る警告装置は、画像形成条件が初期設定と異なることを報知する画像形成装置の警告装置であって、リセット時間判定手段と、リセット手段と、判別手段と、警告手段と、待機手段とを有する。リセット時間判定手段は、画像形成終了後に所定のリセット時間が経過したかどうかを判定する。リセット手段は、リセット時間判定手段がリセット時間の経過を判定すると、画像形成条件を初期設定へとリセットする。判別手段は、リセット時間判定手段がリセット時間を経過していないことを判定した場合に、画像形成条件が初期設定であるかどうかを判別する。警告手段は、判別手段によって判別した結果が初期設定でない場合に、その旨を警告する。待機手段は、警告手段による警告中に画像形成の指示があった場合に、画像形成の指示を実行せずに待機する。
【０００６】
この警告装置では、画像形成条件を初期設定から変更して画像形成を行った後にリセット時間判定手段によってリセット時間の経過を判定された場合には、リセット手段によって画像形成条件を初期設定へとリセットする。リセット時間判定手段によってリセット時間を経過していることが判定されずに次の画像形成指示がなされた場合に、判別手段が初期設定ではないと判別したときには、その旨を警告手段によって操作者に警告する。この警告がなされた場合には待機手段によって指示を実行せずに待機する。
【０００７】
ここでは、初期設定と異なる条件で画像形成指示をすると警告がなされて待機するために、操作者が初期設定と異なる条件であることを気付かずに印刷するのを防止できる。
【０００８】
請求項２に係る警告装置は、請求項１に記載の警告装置であって、所定の警告時間を経過したかどうかを判定する警告時間判定手段をさらに備え、警告時間判定手段によって警告時間を経過していないと判定された場合には、警告手段による警告を行わない。
【０００９】
この警告装置では、警告時間判定手段によって警告時間を経過していないと判定された場合には、初期設定時間判定手段の経過前であっても、警告を行わずに印刷を行う。
【００１０】
ここでは、初期設定とは異なる画像形成条件で連続して印刷する際に、警告によって印刷が妨げられないためにスムーズに行うことができる。
【００１１】
請求項３に係る警告装置は、請求項１または２に記載の警告装置であって、警告手段は、画像形成条件を表示する表示部を有し、表示部に初期設定とは異なる旨を表示することで操作者に警告をする。
【００１２】
この警告装置では、画像形成条件が初期設定とは異なる場合に表示部にその旨を表示して警告を行う。
【００１３】
ここでは、表示部に警告されるために、操作者は警告を認知することができる。
【００１４】
請求項４に係る警告装置は、請求項３に記載の警告装置であって、表示部には、画像形成条件をリセットするリセットキーが表示される。
【００１５】
ここでは、画像形成条件が初期設定と異なる場合に初期設定にすることができる。
【００１６】
請求項５に係る警告装置は、請求項１から４のいずれかに記載の警告装置であって、待機手段による待機中に、再度画像形成の指示があった場合に画像形成条件を変更せずに画像形成を行う。
【００１７】
この警告装置では、待機中に再度画像形成指示がある場合にはその条件のままで印刷を行う。
【００１８】
ここでは、警告がされる前の画像形成条件で印刷を行うことができる。
【発明の効果】
【００１９】
本発明は、画像形成条件が変更されていることに気付かずに印刷することで生じるミスコピーを防止することができる。
【発明を実施するための最良の形態】
【００２０】
[全体構成]
図１は本発明の一実施形態が採用された画像形成装置であるデジタル複合機１の外観を示した図であり、図２はデジタル複合機１の全体断面図である。デジタル複合機１は、外部から送信された画像データに基づいて画像形成を行ったり、後述する原稿載置台に載置された原稿を複写したりできるとともに、画像データの縮尺、印刷部数などの画像形成条件を変更して印刷することができる装置である。デジタル複合機１は、図２に示すように、原稿の画像データを読みとるデータ読み取り部２と、画像形成するための画像形成部３と、画像形成部３で形成された画像を用紙に定着するための定着部４と、画像形成部３と定着部４に向けて用紙を搬送する用紙搬送部５と、用紙を給紙する給紙部６と、トナー像が定着された用紙を排出する排出部８と、画像形成条件が初期条件と異なる場合にその旨を警告する警告装置９とを有する。
【００２１】
データ読み取り部２は、原稿の画像データを読み取るための部分であって、画像形成部３の上方に配置されている。
【００２２】
画像形成部３は、原稿の画像データ及び外部から接続されたコンピュータ等に送信された画像データに基づいて画像を形成するための部分であって、現像器や感光体ドラムなどから構成されている。
【００２３】
定着部４は、画像形成部３で用紙に形成されたトナー像を用紙に定着するための部分であって、加熱ローラ及び加圧ローラを有している。また、定着部４は画像形成部３の排出部８側に配置されている。
【００２４】
用紙搬送部５は、給紙部６から排出部８まで続く搬送路と用紙を搬送するための複数のローラとを有している。
【００２５】
給紙部６は、画像形成を行うための用紙を給紙する部分であって、さらに、給紙部６は、複写機１の底部に設けられている。給紙部６は、上下方向に複数段重ねられた給紙カセットと用紙搬送部５に給紙するローラなどを有する。
【００２６】
排出部８は、画像が印字された用紙を排出するための部分であって、排出トレイ２４（図１参照）を有している。また、排出部８は複写機１の外枠に近接するように配置されている。
【００２７】
警告装置９は、制御部１０と、画像形成条件等が表示される表示パネル１２とを有する。
【００２８】
制御部１０は、制御部１０のブロック図である図３に示すように、リセット時間判定手段１３と、画像形成条件を初期設定へとリセットするリセット手段１１と、画像形成条件が初期設定であるかを判別する判別手段１４と、所定の警告時間を経過したかを判定する警告時間判定手段１５と、待機手段１６として機能する。制御部１０は、画像形成条件が初期設定から変更された場合に、一定時間（リセット時間）経過後にリセット手段１１によって初期設定に強制的に変更する。
【００２９】
リセット時間判定手段１３は、印字動作を行った後に所定のリセット時間が経過したかどうかを判定する手段である。
【００３０】
リセット手段１１は、リセット時間判定手段１３がリセット時間の経過を判定すると、画像形成条件を初期条件にリセットする。
【００３１】
判別手段１４は、リセット時間判定手段１３がリセット時間を経過していないことを判定した場合に、画像形成条件が初期設定であるかどうかを判別する。
【００３２】
待機手段１６は、表示パネル１２によって警告がなされた場合に指示を実行せずに待機する。
【００３３】
警告時間判定手段１５は、所定の警告時間を経過したかどうかを判定する。警告時間判定手段によって警告時間を経過していないと判定された場合には、制御部１０は表示パネル１２による警告を行わない。ここで警告時間とは、表示パネル１２による警告を行う際の基準となる時間であって、警告時間経過後には表示パネル１２に図４に示すように、初期設定と異なる画像形成条件である旨のメッセージが表示される。また、警告時間はリセット時間に比べて短く設定されている。
【００３４】
表示パネル１２は、部数、倍率などの画像形成条件を表示するとともに画像形成条件の設定を行う部分であって、スタートボタンを有するハードキーや画像形成条件を初期設定に変更するリセットキー３０や印刷動作を開始するスタートキー３１などが設けられている。表示パネル１２は、画像形成条件が初期設定とは異なる旨の表示をすることで操作者に警告する（警告手段）。表示パネル１２に警告がなされた後に、操作者がリセットキー３０を押した場合には初期設定にリセットし、操作者がスタートキー３１を押したときには初期設定とは異なった画像形成条件のまま印刷を行う。
【００３５】
[デジタル複合機１の動作]
先ずデジタル複合機１の印刷動作について説明する。外部に接続されたコンピュータ等から操作者が画像データをデジタル複合機１に送信するか、または操作者が表示パネル１２のスタートボタンを押すとデータ読み取り部２が原稿の画像データを読みとる。すると画像形成部３は、データ読み取り部２によって読み取った画像データ又は外部に接続されたコンピュータ等から送信された画像データに基づいて画像を形成する。画像形成部３で形成された画像は用紙搬送部５によって給紙部６から搬送された用紙に転写され、定着部４で用紙に定着される。その後、用紙搬送部５によって排出部８に搬送される（Ｓ１）。操作者が表示パネル１２において、スタートキー３１を押す前に、画像形成条件（例えば、２枚印刷や縮尺を２倍にする）を変更していた場合には、この画像形成条件に基づいて印刷がなされる（Ｓ１）。
【００３６】
警告装置９の動作のフローチャートを図５に示す。以下このフローチャートに基づいて印刷動作終了後に再び印刷指示がなされた場合の動作について説明する。印刷が終了（Ｓ１）した後に、再び印刷指示を受け付けた場合（Ｓ２）には、警告時間が経過しているかどうかが判断される（Ｓ３）。警告時間が経過していない場合（Ｓ３のＮＯ）には、そのままの画像形成条件（Ｓ８）で印刷を行う（Ｓ１０）。警告時間が経過している場合（Ｓ３のＹＥＳ）には、リセット時間が経過しているかどうかが判断される（Ｓ４）。リセット時間を経過している場合には、リセット手段１１によって画像形成条件を初期設定にリセットして（Ｓ９）印刷を行う（Ｓ１０）。リセット時間を経過していない場合（Ｓ４のＮＯ）には、表示パネル１２に「画像形成条件が初期設定と異なります」とのメッセージを表示して警告する（Ｓ５）。この警告を表示した後に一定時間待機し、印刷指示を受け付ける（Ｓ６）。印刷指示を受け付ける（Ｓ６）と、リセットキー３０が操作者によって押されたかどうかが判断される（Ｓ７）。リセットキー３０が押されている場合には画像形成条件を初期設定にリセットして（Ｓ９）印刷を行う（Ｓ１０）。一方、リセットキー３０が押されていない場合には、そのままの画像形成条件（Ｓ８）で印刷を行う（Ｓ１０）。
【００３７】
ここでは、画像形成条件が初期設定と異なることを操作者が認知せずに印刷を行うことで発生するミスコピーを防止できる。
【００３８】
[他の実施形態]
上記実施形態では、デジタル複合機１を用いたが、本発明はこれに限らずにカラープリンタや複写機等であっても良い。また、本発明は表示パネル１２に警告を表示したが、本発明はこれに限らず警告ランプを点灯させることで警告しても良い。また、音を発生することで警告しても良い。
【図面の簡単な説明】
【００３９】
【図１】デジタル複合機１の外観図。
【図２】デジタル複合機１の全体断面図。
【図３】警告装置９のブロック図。
【図４】表示パネル１２の拡大図
【図５】警告装置９の動作を示すフローチャート。
【符号の説明】
【００４０】
１  デジタル複合機
２  データ読み取り部
３  画像形成部
４  定着部
５  用紙搬送部
６  給紙部
７  外枠
８  排出部
９  警告装置
１０  制御部
１１  リセット手段
１２  表示パネル
１３  リセット時間判定手段
１４  判別手段
１５  警告時間判定手段
１６  待機手段
【図１】
2007104130.tif 000003
【図２】
2007104130.tif 000004
【図３】
2007104130.tif 000005
【図４】
2007104130.tif 000006
【図５】
2007104130.tif 000007